(57)【特許請求の範囲】
【請求項１】
可撓性の素材でできた、粒状または粉末状製品を内包するスタンドアップ型のパッケージ（１）であって、
上記パッケージ（１）は、密封式のものであり、
支持基底（２）を備えており、
上記支持基底（２）から２枚の対向する側壁（３）が直立し、該側壁（３）は、該支持基底（２）の半周囲をそれぞれ密封し、上記側壁（３）の側縁（５）に沿って互いに密封し、
上記側縁（５）の密封部分は、上記側壁（３）のそれぞれにおいて上方に空き領域（７）を残すように上記パッケージ（１）の全長まで延伸せず、
上記空き領域（７）の内部には、有孔シート（９）の第１の面が、上記パッケージ（１）から取り外せないように上記空き領域（７）の縁における密封シール（５´、２０）から上記パッケージ（１）の上記側壁（３）に沿って密封され、
上記空き領域（７）が互いに接合されるときは、上記有孔シート（９）の第２の面が、
上記縁における剥離可能シール（５´´、２０´）に沿って剥離可能に密封されており、
上記側壁（３）のそれぞれに先端フラップ（１２）を形成し、
上記先端フラップ（１２）全体を引っ張ると、上記剥離可能シール（５´´、２０´）が分離して、本のように開き、上記第１の面が露出することを特徴とするパッケージ（１）。
【請求項２】
上記有孔シート（９）は長方形であり、
上記密封シール（５´）および剥離可能シール（５´´）は、上記側縁（５）の延長部を構成しており、
上記密封シール（２０）および剥離可能シール（２０´）は上記パッケージ（１）の先端を密封することを特徴とする請求項１に記載のパッケージ。
【請求項３】
上記パッケージ（１）における上記側壁（３）の上記先端フラップ（１２）は、それぞれの中央において突出する凸型のつまみ（１３）を有していることを特徴とする請求項１または２に記載のパッケージ。
【請求項４】
切り込み（１４）が上記先端フラップ（１２）の片方に設けられており、弁（１５）が上記先端フラップ（１２）のもう片方に設けられており、
上記弁（１５）を上記切り込み（１４）に挿入すると上記先端フラップ（１２）同士が離れ離れにならないことを特徴とする請求項１から３までのいずれか１項に記載のパッケージ。
【請求項５】
上記先端フラップ（１２）を挿入する横帯（３０）が、上記側壁（３）のいずれか片方に備えられていることを特徴とする請求項１から３までのいずれか１項に記載のパッケージ。
【請求項６】
上記側縁（５）のそれぞれにおいて上記支持基底（２）と近接する位置に、凹部（８）が構成されていることを特徴とする請求項１から５までのいずれか１項に記載のパッケージ。
【請求項７】
上記有孔シート（９）は、上記パッケージ（１）に内包されている散布用の製品に従った大きさに成形された複数の孔（１０）を有することを特徴とする請求項１から６までのいずれか１項に記載のパッケージ。
【請求項８】
上記有孔シート（９）は多層シートであり、
上記第１の面は、上記パッケージ（１）の内面と適合する素材でできており、
上記第２の面は、上記パッケージ（１）から剥離可能であり、かつヒートシール可能である素材でできていることを特徴とする請求項１から７までのいずれか１項に記載のパッケージ。
【請求項９】
上記剥離可能シール（５´´、２０´）は、一過性の接着剤または塗料を使用して生成されることを特徴とする請求項１に記載のパッケージ。
【発明の詳細な説明】
【技術分野】
【０００１】
本発明は、可撓性素材でできた、特に粒状または粉末状製品用のスタンドアップパッケージに関する。
【背景技術】
【０００２】
スタンドアップパッケージは、製品の散布を容易にし、かつ、当該パッケージの再密封を容易に確実に行うためのシステムを備える。
【０００３】
この種のパッケージは、製品を詰めた時に自立することからスタンドアップパッケージという名で知られている。そして通常、片面または両面がヒートシール可能である可撓性を備えた単一層または多層素材からできている。この種の素材には、たとえば、ポリエチレンがある。また、通常は両面フィルムから連続して折り畳み、密封した状態で手に入る。この種のパッケージは一般に、補強された支持基底を有しており、当該支持基底から、側縁および先端に沿ってヒートシールされた２つの側壁が直立している。
【０００４】
実用的な理由から、粒状または粉末状製品用のスタンドアップパッケージの需要が一層増している。たとえばココア、粉砂糖、小麦、粉チーズなどを包含し、これら製品のパッケージからの直接散布を可能にするような食品領域においての需要が特に増している。
【０００５】
これらパッケージには、不都合な点を伴うものがある。パッケージの開封という観点からすれば、たとえばヒートシールされた先端を切るために、はさみを使用しなければならないものがある。
【０００６】
製品の散布という観点からすれば、たとえばスプーンなどを用いてパッケージから取り出さなければならないものがある。
【０００７】
さらに、パッケージの密封という観点からすれば、実際には外部の物質にさらされたままになっていることもある。
【０００８】
当然ながら、従来技術におけるパッケージにおいて、上述した不都合な点が複数同時に見受けられることもある。
【発明の開示】
【発明が解決しようとする課題】
【０００９】
本発明は上記の課題を解決するためになされたものであり、その目的は、はさみや他の道具を用いることなく開封が容易で、直接製品を散布することができ、かつ、中身を取り出して使用する度に、容易に確実に再密封ができるスタンドアップパッケージを提供することにある。
【００１０】
また、本発明の他の目的は、実用的かつ多用途であり、製造が容易かつ安価であるパッケージを提供することにある。
【課題を解決するための手段】
【００１１】
上記目的は、本発明に係る添付の独立請求項１に記載の特徴を有するパッケージによって達成される。
【００１２】
本発明の好適な実施形態は従属項に示されている。
【００１３】
原則的に、本発明に係るパッケージは、粒状または粉末状製品を包含するように可撓性素材でできており、実質的に長方形または卵形の基底を有している。当該基底から２枚の対向する側壁が直立しており、それらは基底の半周にそれぞれ結合し、側壁の側縁にそって互いに結合している。上記側縁はパッケージをカスタマイズするか、または、つかみやすくするのに適した形状にすることができる。具体的には、パッケージをつかみやすくする半円形の凹部が、上記側縁のそれぞれに設けられている。
【００１４】
上記側縁は、パッケージ上部を開いた状態にしておくために、パッケージの全長未満の位置において互いに密封される。当該上部には有孔シートが貼付される。有孔シートは、パッケージの２枚の壁における内面にまたがって設置されており、当該壁が合わさったときに本のように閉じる。
【００１５】
上記有孔シートは、パッケージの壁に固着してヒートシール可能な面と、パッケージを剥離可能に密封するように剥離可能な材料でできた面とを有している。
【００１６】
上記の構成において、パッケージの先端にある２つの先端フラップをつかみ引っ張ることによって、上記の剥離可能な面が分離し、固着している有孔シートが露出する。これにより、パッケージを容易に開封することができる。パッケージを振ったり傾けたりすることによって、上記有孔シートを介して製品を散布することができる。
【００１７】
使用後、一方の先端フラップに形成された弁を、もう一方の先端フラップに形成されて対応する切り込みに挿入して、上記先端フラップは接合される。これにより、当該フラップが突発的に分離するのを防止する。別の実施形態によれば、接合された先端フラップは折り畳まれ、パッケージの一方の側壁上に備えられた横帯の中に挿入される。
【００１８】
本発明のさらなる特徴点は、添付の図面に示された実施形態を参照しながら、下記の詳細な説明によってより明白になるだろう。本実施形態は単に例示するだけであって限定するものではない。
【発明を実施するための最良の形態】
【００１９】
添付の図面において、本発明に係るパッケージは、概して、部材番号１が示す。本発明に係るパッケージは、特に粒状または粉末状製品を包含するために設計されたパッケージであって、自立できるという点からスタンドアップパッケージという名で知られている。当該パッケージは、可撓性素材でできた単一層または多層フィルムでできており、少なくとも一側面においてヒートシール可能である。
【００２０】
パッケージ１は、支持基底２を有している。支持基底２からは２枚の対向する側壁３が直立しており、支持基底２における各半周（以下、底辺シール４と記載）を密封する。パッケージ１の先端部において、側壁３におけるそれぞれの空き領域７（特に図３を参照）を互いに密封しないように、側縁５において特定の高さまで互いに密封する。
【００２１】
各底辺シール４は、傾斜部６の各々の対によって側縁５に結合され、パッケージ１の支持基底２を広げることができる。上述のように構成されたパッケージ１は、パッケージ１の先端部に向かって先細り形状を呈し、製品が詰められた後は、当該先端部において下記のように密封することができる。
【００２２】
基部２に近接するパッケージ１の側縁５は、それぞれ凹部８を有している。凹部８は、実質的に半円形であり、パッケージ１を容易につかめるように構成されている。
【００２３】
図３に示すように、有孔シート９は実質的に長方形であり、複数の孔１０（ミクロ孔）を備えている。複数の孔１０の大きさは、パッケージ１に内包される製品の種類に準じる。有孔シート９は、側壁３の空き領域７と適合するように貼付され、開くと平らになる。
【００２４】
有孔シート９は、次に示すような層からなる多層であることが好ましい。一層は、パッケージ１から剥離せず密封できるように、パッケージ１の内層と同じ素材（たとえばポリエチレン）でできた面（図３における有孔シート９の下側の面）である。もう一層は、ヒートシールにより密封する素材ではなく、剥離可能な素材からできたもう１つの面（同図における有孔シート９の上側の面）である。
【００２５】
このようにして、有孔シート９はその縁に沿ってパッケージ１の内面まで密封するようヒートシールされ、（パッケージ１が閉じられたとき）垂直シール５´が生じる。垂直シール５´は、パッケージ１の側縁５のシール延長部分、および、パッケージ１の先端部における側壁３を密封する水平シール２０を形成する。有孔シート９が貼付された側壁３の空き領域７は、折り目１１に沿って折り畳むことによって接合される。このため、有孔シート９が本のように折り重ねられる。
【００２６】
つづいて、剥離可能な垂直シール５´´および水平シール２０´を、図１に図示されているように、有孔シート９において重ねられた垂直シール５´および水平シール２０に沿って作成する。ここで、垂直シール５´´および水平シール２０´は、一過性の接着剤またはラッカー（漆）等の塗料を使用して生成される。
【００２７】
実際には、図２に図示されているように、空き領域７上に有孔シート９を貼付する。空き領域７が接合するように折り畳むと、側壁３の間に差し込まれた有孔シート９は本のように折り畳まれる。つづいて、折り畳まれた有孔シート９の側面および先端の縁に沿って、１枚のヒートシールを作成する。これにより、上述の垂直シール５´および水平シール２０に沿って有孔シート９をパッケージ１に密封し、上述の垂直シール５´´および水平シール２０´に沿って有孔シート９を剥離可能に密封する。
【００２８】
図１および図２に示すように、上方の水平シール２０および２０´は、パッケージ１の先端部から特定の距離をおいて設置する。これにより、パッケージ１の各側壁３の上に、各々の先端フラップ１２を定める。先端フラップ１２の中央からは、凸型のつまみ１３が突出する。
【００２９】
曲線状の切り込み１４は、一方の先端フラップ１２上に形成される。切り込み１４に挿入するための弁１５は、もう一方の先端フラップ１２の上に形成される。
【００３０】
閉じられて密封されたパッケージ１は、図１に示すような外形である。
【００３１】
パッケージ１を開封するには、先端フラップ１２において突出したつまみ１３を指で持ち、これを引っ張って剥離可能な水平シール２０´および垂直シール５´´を分離するだけでよい。これにより、図２に示すようにパッケージ１が開封される。
【００３２】
ここで、パッケージ１の底辺シール４および側縁５上の凹部８を片手でつかむことができる。パッケージ１を振り、適度に傾けたりまたは逆さにしたりすることによって、パッケージ１に包含されている粒状または粉末状の製品を散布することができる。
【００３３】
使用後、パッケージ１を元の直立状態に戻すと、先端フラップ１２は再度接合する。これにより、弁１５が切り込み１４に挿入される。したがって、上記の先端フラップ１２が確実に維持され、パッケージ１が安全に再密封される。
【００３４】
以上の説明から、本発明に係るパッケージの利点は明白である。すなわち、はさみなどの道具を用いずに容易にパッケージを開封できる点、有孔シート９上の適当な大きさの孔１０によって容易に直接製品を散布できる点、および、パッケージの衛生状態を良く保ち、確実な再密封ができる点である。
【００３５】
当然ながら、本発明は、添付の図面に示され上述された特定の実施形態に限定されるものではない。添付の請求項に記載された本発明の範囲を逸脱しなければ、当業者が実施しうる範囲内で、細部に様々な変更を施すことが可能である。
【００３６】
図５および６に示した実施形態の変形例によると、パッケージの先端において側縁５に横帯３０が固定されている。具体的には、側壁３の一方において、上述の水平シール２０または２０´に近接する位置に備えられている。
【００３７】
パッケージを再密封するには、図６に示すように、先端フラップ１２を接合し、横帯３０を有する側壁３上に下向きに折り畳み、横帯３０に挿入する。
【００３８】
本実施形態によれば、水平帯３０を有する側壁３に一致する先端フラップ１２は、備えられなくてもよい。
【図面の簡単な説明】
【００３９】
【図１】本発明に係るパッケージの密封および直立状態を示す不等角投影図である。
【図２】パッケージが開いて使用できる状態を示す、図１と同様の不等角投影図である。
【図３】製品散布のための有孔シートをパッケージとは別に示している、図２と同様の不等角投影図である。
【図４】使用後にパッケージが再密封されていることを示す、図１と同様の不等角投影図である。
【図５】再密封手段についての変形例を示す、パッケージ上部の不等角投影図である。
【図６】再密封手段についての変形例を示す、パッケージ上部の不等角投影図である。
【図１】
0005280143.tif 000002
【図２】
0005280143.tif 000003
【図３】
0005280143.tif 000004
【図４】
0005280143.tif 000005
【図５】
0005280143.tif 000006
【図６】
0005280143.tif 000007